(57)【要約】ムードリングの選択を開始するコマンドシーケンス（１０１）を備えるシステム及び方法。この方法は、利用可能なムードリングの一覧（１０３）及び現在の或いは初期設定されたムードリングの強調表示（１０５）を可能にする。続くカーソル移動（１０７）は入力装置によって制御されても良い。選択信号を検出すると（１０８）、実際にムードリングが選択され、更にユーザが入力すると、そのムードリングの特徴を編集できるようにする（１０９）。ムードリングが選択されると、その後受信した無線メッセージを、例えば移動局のデータベースで識別される送信元からのメッセージを許可するようにフィルタリング（１１１）が行われる。
2004537204.tif 000002
【特許請求の範囲】
【請求項１】
第一レコードデータのムードリング・インスタンス及び第二レコードデータの送信元識別子を有する電話帳レコードに基づいて無線メッセージを許可する方法において、
少なくとも１つの選択されたムードリングを決定するムードリング選択を受信し、該少なくとも１つの選択されたムードリングは第一レコードデータのムードリング・インスタンスと一致すること、
内容表示を有する無線メッセージを受信すること、
内容表示が第二レコードデータの送信元識別子と一致し、かつ少なくとも１つの選択されたムードリングが第一レコードデータのムードリング・インスタンスに一致する場合に、無線メッセージを許可すること、から成ることを特徴とする方法。
【請求項２】
電話帳レコードにムードリング・アソシエーションを加え、第一レコードデータのムードリング・インスタンスはムードリングを含む、請求項１に記載の許可方法。
【請求項３】
上記ムードリングを加える工程は、
電話帳レコードを選択すること、
電話帳レコードとムードリングを結びつけるコマンドを受信すること、を含む請求項２に記載の許可方法。
【請求項４】
電話帳レコードを選択する工程は、
電話帳レコードを一覧表示すること、
電話帳レコードの一覧表に合致する名称の選択を受信すること、を含む請求項３に記載の許可方法。
【請求項５】
上記追加工程は電話帳レコードに基準を加えることを含み、第二レコードデータの送信元識別子は基準を含む請求項２に記載の許可方法。
【請求項６】
上記基準を加える工程は、電話帳に電話番号を追加することを含む請求項５に記載の許可方法。
【請求項７】
上記基準を加える工程は、電話帳にアドレスを追加することを含む請求項６に記載の許可方法。
【請求項８】
第一レコードデータのムードリング・インスタンス及び第二レコードデータの送信元識別子を有する電話帳レコードに基づいて無線メッセージを許可する移動局であって、該電話帳レコードは移動局のメモリに保存されている移動局において、
第一レコードデータのムードリング・インスタンスと一致する少なくとも１つの選択されたムードリングを決定するムードリング選択を受信し、メモリへ保存する入力装置と、
内容表示を有する無線メッセージを受信する受信機と、
内容表示が第二レコードデータの送信元識別子と一致する場合に、無線メッセージを許可するプロセッサと、を含むことを特徴とする移動局。
【請求項９】
さらに、電話帳レコードにムードリング・アソシエーションを追加する手段で、第一レコードデータのムードリング・インスタンスはムードリングを含むものを含む請求８に記載の許可を与える移動局。
【請求項１０】
上記ムードリングを追加する工程は、電話帳レコードを選択し、電話帳レコードをムードリングへ関連づけるコマンドを受信する第二入力装置を含む請求項９に記載の許可を与える方法。
【請求項１１】
上記電話帳レコードを選択する工程は、
電話帳レコードの一覧表のための表示装置と、
電話帳レコードの一覧表に合致する名称の選択を受信するための第三入力装置と、を含むこと請求項１０に記載の許可を与える移動局。
【請求項１２】
上記追加の工程は、電話帳レコードに基準を追加する第二入力装置を含み、第二レコードデータの送信元識別子が基準を含む請求項９に記載の許可を与える移動局。
【請求項１３】
上記基準を追加する工程は、電話帳レコードに電話番号を追加する第三入力装置を含む請求項１２に記載の許可を与える移動局。
【請求項１４】
上記基準を追加する工程は、電話帳レコードにアドレスを追加する第四入力装置を含む請求項１３に記載の許可を与える移動局。
【請求項１５】
少なくとも１つのムードリングからの選択を受信して選択ムードリングを与えること、
選択ムードリングを使用して少なくとの１つの無線メッセージを許可すること、から成ることを特徴とするムードリング選択方法。
【請求項１６】
上記受信工程は、ムードリング選択コマンドを受信すること、
少なくとも１つのムードリング表示を一覧表にすること、を含む請求項１５に記載の選択方法。
【請求項１７】
上記受信工程は、さらに、
現ムードリング表示を強調表示すること、
カーソル移動信号を受信すること、
第二ムードリング表示を強調表示すること、を含む請求項１６に記載の選択方法。
【請求項１８】
上記受信工程は、さらに少なくとも１つのムードリング表示に関連する少なくとも１つのムードリングを編集すること、を含む請求項１６に記載の選択方法。
【請求項１９】
ムードリング選択コマンドに関連するキー操作信号を受信すること、を含む請求項１６に記載の選択方法。
【請求項２０】
キー操作信号は、閾値設定信号を含む請求項１９に記載の選択方法。
【請求項２１】
選択したムードリングは、プロフィールデータを含む請求項１５に記載の選択方法。
【発明の詳細な説明】
【技術分野】
【０００１】
背景
本発明は一般には、移動局で受信したメッセージの取り扱いに関する。更に詳しくは、本発明は受信メッセージの不揮発性メモリ内への保存を減らす方法に関する。
【背景技術】
【０００２】
ポケベル、携帯電話、個人用携帯情報端末、及び類似の無線接続装置等の装置を介して、瞬時に、そして時には要求していないのに、情報にアクセスする社会に於いては、集中力のいる活動の際に邪魔になるものを最小限に抑えることへの関心が高まっている。これらの邪魔物の供給源で増大しているものに、例えばグローバル・システム・フォア・モバイルズ（ＧＳＭ）無線システムで見られるような、ショート・メッセージ・システム（ＳＭＳ）等によって生成される非常に短いメッセージがある。
【０００３】
ＳＭＳのような無線メッセージは多数のコンピュータ・デバイスから送出され得る。今日、このようなメッセージの多くは携帯電話から送出される。その結果、送信者の電話番号に対応する送信元アドレスがメッセージに付随する。しばしば、電話番号は完全な国際形式電話番号である。
【０００４】
時折、電子メールアドレスで表された送信元アドレスを有するメッセージが届く。送信元を識別する方法は多い。しかし、例えばデジタル携帯電話ネットワークのような無線ネットワークとインターネットの間の相互接続が進み、それと共にインターネットやサーバコンピュータから送信されるメッセージが大幅に増大することが予測される。更に、携帯装置へ送られる営業用メッセージがますます多くなるおそれがある。
【０００５】
米国特許第５，４７９，４７６号は携帯端末でのプロフィールの利用を記載している。ユーザは少数のキーを押す事で端末の警告を変更し、周囲の条件に合わせることができる。これは、ユーザが例えば工場や道路等の騒々しい場所から会議室、劇場、レストラン等の静かな場所へ移動したときに非常に便利である。ユーザはこれらのプロフィールを高く評価している。
【０００６】
現在の携帯電話は人、会社及び施設の連絡先の詳細を保存するデータベースを備えていて、携帯電話のユーザには便利である。データベースは、ノキア社の携帯電話で使用できる電子入力の電話帳を含み、各レコードに名前、電話番号、電子メールアドレス及びその他の情報を保存できる。このような情報を保存するデータベースは、最初は空であるか或いは情報の入っていない電話帳レコードを含む。
【０００７】
ＷＯ０１／３９５７７は端末、好ましくは無線端末への電子情報の転送を記載する。転送前、フィルタリングのための特定のパラメタが電子情報に添付される。それによって電子情報は無線端末に配送される前に分類され、受信端末には始めにそのパラメタが与えられる。パラメタに基づき、端末はその電子情報の受信を許可或いは阻止する。パラメタはヘッダ情報等のメッセージの先頭部分に含まれ、端末はまずこれを読み、その結果、メッセージの本文部分を未受信にし、パラメタに基づいて実際の電子情報は拒否される。
【０００８】
マイクロソフトアウトルックTM９８を十分に熟知している人々は、着信メッセージを廃棄するルールセットを設定できる。
１）アウトルックを選択
２）メールフォルダ又は「受信箱」を選択
３）ツールメニューを選択
４）ルール・ウィザードを選択
５）「新規」ボタンをクリック
６）「次へ」
７）「差出人又は分配リスト」を選択
８）「差出人又は分配リスト」の強調表示されたテキストを選択
９）人のリスト内を移動
１０）少なくても１人の人を選択
１１）「差出元」をクリック
１２）「ＯＫ」をクリック
１３）「次へ」をクリック
１４）「削除する」を選択
１５）「終了」をクリック
１６）「ＯＫ」をクリック
【０００９】
「ルール・ウィザード」を使用したことのない者は、「ヘルプ」ボタン又は他の電子ガイドを時折、合わせて使いながら上記の手順を取るので、平均的なユーザでは約２０段階の処理になる。「ルール・ウィザード」のメニュー項目は、約７個のメニュー及び５１個のサブメニューを有するメニュー・ツリーの二次メニュー選択となっている。言うまでもなく、長いサブメニューと選択リストは、機能にアクセスする方法をユーザに伝えるという観点からは、移動局では上手くいかない。なぜなら、移動局はしばしば机のない環境にあり、迅速な通信が必須であり、詳細なマニュアルを利用することはほとんど出来ない又は望まない状況だからだ。
【発明の開示】
【００１０】
要旨
実施態様では、移動局での無線メッセージの受信を電話帳レコードに基づいて許可する方法が示される。ムードリングの選択が受信され、そのムードリングは電話帳レコードに保存されてる第一データ又はムードリング・インスタンスと一致する。無線メッセージは内容表示子を有することもある。内容表示子が電話帳レコードに保存される第二データ又は送信元識別子、例えば名前や番号、と一致した場合には、無線メッセージは例えば不揮発メモリへ許可される。
【００１１】
移動局の電話帳レコードに少なくとも１つの入力が保存されていれば、ムードリングフィルタの選択作業は、移動局のユーザ・インタフェースの待機又は初期状態から３段階以下で完了できる。この程度の複雑さであれば、マニュアルは簡単でよく、移動局ユーザの訓練も口頭で出来る。
【００１２】
本発明の実施態様のこれら及び他の特徴、観点及び利点は、以下の説明と添付の図面で明らかになる。しかしながら、図面は例示のためのみに意図されたものであり、発明の限定を規定するものではない。発明は、付随する請求の範囲を参照しなければならない。
【００１３】
以下の詳細な説明で、複数の図面を参照しながら、本発明の非限定的な好ましい実施態様として、本発明を更に説明する。同一の参照番号は図面を通して同一の部品を示す。
【００１４】
詳細な説明
ムードリングは基準の集合でもあり、基準には送信元アドレス又連絡先情報を有する少なくとも１つのデータベースレコードが与えられる。このようなデータベースレコードは、移動局の電話帳登録でもよい。このような集合は、ムードリングに属するような第一基準と一致するデータベースレコードの集合であってもよい。
【００１５】
無線メッセージは無線手段によって装置に受信されるメッセージである。装置はメッセージ作成出力装置に付帯した無線トランシーバを含み、ひとまとめにして、無線トランシーバとメッセージ作成出力装置は携帯できる。
【００１６】
ムードリングは、どの階級のメッセージを移動局の不揮発メモリへ許可するかを決定する１以上のルール又は基準である。ムードリングに関連するルールを作動させ、メッセージが移動局で受信されたときにプロセッサがルールを使用できる。移動局のユーザのムードや状況は瞬時に、しばしば変化するかもしれないので、ムードリングを切り換える、又は作動中又は作動させるムードリングのセットからムードリングの追加又は削除をするのに必要なキー操作や他の入力は最小限にすると有利である。
【００１７】
移動局の不揮発メモリへの無線メッセージの許可に対して実質的な効果を有するために、ムードリングは、そのムードリングに関連する電話のデータベースレコードを少なくとも１つ持たなければならない。例えば初期ムードリング対応を初期ムードリングに与えることにより、データベースレコードの内容が作成される際に、データベースレコードとムードリングのこのような関連又は対応が作成又は追加される。この場合、データベースレコードに対するムードリング・アソシエーションの追加は、データベースレコードの現存するムードリング・アソシエーションの変更となる。これは、１ビット以上の設定或いは他のムードリング・インスタンスの設定をデータベースレコードの適切なデータ構成で行うことで可能となる。このようなビットの設定は、第一レコードデータのムードリング・インスタンスであってもよい。
【００１８】
一方、データベースレコードへムードリング入力するためのムードリングの設定は、加工処理になってもよい。データベースレコードには、ムードリング或いはムードリング・インスタンスとして仮の内容が付加されている。データベースレコードは多くのムードリングに多くの関連を有する、即ち、多数のムードリング・インスタンスが第一レコードデータに対応してもよい。その上で、ムードリングを作動させるか、さもなければ無線メッセージのフィルタリング基準として使用するよう選択する。これら２つの前提条件があって、無線メッセージは、少なくとも１つの作動中ムードリングに関連するデータベースレコードの基準或いは他の送信元表示子と一致すれば移動局に着信する。この条件下で、無線メッセージは不揮発メモリへ許可され、電力損失することなく保存される。
【００１９】
移動局は、任意で、不揮発メモリへ許可されたメッセージの受信を示す電子音や他の刺激を発信してもよい。
【００２０】
ムードリングの一覧はコマンド入力によって選択できる。コマンド入力は、メニューソフトキーを押した後、「＃」キー等のキーパッドボタンを押す。メニューには初期一覧として以下のように表示される。
−  個人用
−  消費者（２５）
Ｘ  情報（２５）
Ｘ  友人（２５）
表１
【００２１】
ムードリング表示を知らせる方法は他に多くがあるが、一例として表１に示すテキスト表示の一覧表があり、そのような一覧表は移動局の表示画面に表示されてもよい。一覧表はムードリング表示と同様にムードリングなしを示す設定を含んでも良い。ムードリング設定は、全部かゼロかの設定で、全ての着信メッセージを阻止する設定の名称の「個人用」形式であってもよい。全部かゼロかの設定は全ての着信メッセージを許可するムードリング設定の名称の「消費者」形式でもよい。
【００２２】
ムードリングの選択は、カーソル或いは他の選択指示器で一覧表内をスクロールし、所望のムードリングの表示を強調表示することによって行ってもよい。一度キー押下信号が受信されると、ムードリングは交互に作動と停止を行うようにしてもよい。キー押下信号は「選択」ソフトキーを押すことによって生成してもよい。更に、フィールドへの入力は数値キー入力を使って行っても良い。フィールドは、後に参照するため、キューに保持されるメッセージの一覧表における最大長に関連する。この最大長が閾値となり、設定長より古いメッセージは自動的に廃棄してもよい。廃棄したメッセージがそれまで占有していたメモリは、他の目的に自由に使えるようになる。
【００２３】
「設定」ソフトキーの押下をフィールドへの入力完了の信号としてもよい。「チェック」ソフトキーを押下でラジオボタンを設定し、メッセージ受信の際に作動するムードリングを識別してもよい。ムードリング一覧表への入力及び変更は、「終了」ソフトキー又は「完了」ソフトキーの押下で終わりとなる。ソフトキー又は他のキーの１回以上の押下がムードリング選択コマンドとなる。
【００２４】
図１は、ムードリング選択の工程を示す。ムードリングは、音声或いは他の高帯域幅の他の通信が届いた場合に携帯電話等の移動局で生成する警告の、もしあれば音声或いは種類を管理するプロフィールと結合される。ソフトキーを押し、その適度にすぐ後に「＃」キー或いは他の非数値キーを押すといった短いコマンドシーケンスが入力される（１０１）。移動局はプロフィールと関連づけられた、名称の付いたムードリングの一覧表或いはメニューを提示する（１０３）。また、ムードリングはプロフィールと共通の名称でメニューに提示されてもよい。名称の１つが強調表示される（１０５）。カーソル移動キーの押下等によるユーザの入力が検出されると（１０７）、現ムードリングを強調表示（１０５）する工程に戻る。カーソル移動キーの押下は、カーソル移動信号をもたらす。例えばソフトキーを押すことで「選択」コマンドが生じると（１０８）、ムードリングに関連する１以上のフィールドを変更することができる（１０９）。例えば、ムードリングの編集は、先入れ先出しの基準で廃棄する前の、保存するメッセージのキューサイズの設定を含んでも良い。表１の括弧内に表示されるフィールドを強調表示すると、表示画面上のカーソルが動き、文字入力を最大サイズにすることができる。カーソルがこの状態にある場合、キー操作による入力は閾値信号を与える。「個人用」設定には最大サイズはない。何故なら、全てのメッセージは廃棄されるか或いは揮発性メモリに置かれるので、このようなメッセージ受信用の列は存在しないからである。最大キュー或いは閾値の設定を０にすると、ムードリングは非作動となり、メッセージを許可する。
【００２５】
選択したムードリングの編集が終了すると、移動局はそのムードリングの選択に対応するメッセージのフィルタリング（１１１）の変更を保存し、移動局は選択したムードリングを使用できる。工程は現ムードリング１０５の強調表示へ戻ってもよい。フィルタリング工程（１１１）はメッセージ受信時に起動される一連の工程であり、実施例ではメッセージ許可基準に合うかどうかを決める。実施例では、メッセージ受信時にこの一連の工程が起動されたときに、ムードリングを使ってメッセージを許可する。１つの工程は、ある電話帳レコードが選択されたムードリングに関連があるかどうかを決めるものである。２つ目の工程は、メッセージがその電話帳レコードのフィールドに一致するか、さもなければ相関関係にあるかどうかを決めるものである。
【００２６】
ムードリングが従来のプロフィールに結びつけられる場合、選択されたムードリングの中で最初のものが、着信する音声或いは他の高帯域幅通信に対して使用されるプロフィールの基準となる。そのため、ムードリングの選択は、プロフィールの選択としても作用する。
【００２７】
図２は、送信元識別子を含む電話帳への入力がムードリング或いはムードリング・インスタンスと関連づけられる工程を示す。「名称」ソフトキーが押下して（２０１）、電話帳入力の一部であり、送信元識別子を含んでもよい、既に保存された番号或いは名称の検索を開始する。入力待ちになったとき、ユーザは１以上のキーを押し、一覧表から名称を選択する（２０３）。選択された登録の詳細画面は「詳細」ソフトキーを選択すると呼び出される（２０５）。「オプション」ソフトキーを使用して（２０７）、選択された電話帳レコードに関連する、もしあればムードリング或いは第一レコードデータ、及びその他の項目の編集要求信号を出す。各電話帳レコードはムードリング設定を有する、即ち、少なくとも１つのムードリングと関連する。ムードリング入力或いはデータは、空白等の単にプレースホルダーでも良く、その電話帳レコードには未だムードリングが関連づけられていないことを示す。複数のオプションが示された場合、ナビゲーションにより「ムードリング」のメニュー項目へ進む（２０９）。選択コマンドを受信した後（２１１）、実施例では電話帳レコードが関連づけることを許可されたムードリング群を含む画面を表示する。ナビゲーションを使用し、所望のムードリング群を強調表示する（２１３）。「選択」キーを押し（２１５）、電話帳レコードのムードリング入力又はデータを選択したムードリングと一致させ、或いは関連づけ、その電話帳レコードをフィルタ工程２１７に加える。フィルタ工程では、電話番号或いは他の内容表示子等の少なくとも１つの送信元識別子が受信メッセージを許可する基準として使用される。移動局が、例えば「選択」キーからの入力を受信すると、移動局はコマンドを受信し、そのムードリング設定をあるムードリングに関連づけるか或いは結びつける。
【００２８】
フィルタ工程は、メッセージがそのヘッダに、電話帳レコードの登録に何らかの一致を有する送信元表示子が存在するかどうかに基づいて、着信メッセージを許可してもよい。メッセージ内で発生した送信元電話とレコードデータに保存された電話番号が一致するかどうかが許可基準となる。送信元電子メールアドレスとメッセージ内の電子メール送信元アドレスが一致するかどうかが許可基準となる。
【００２９】
図３は、例えば図１に示されるような、ここに記載される機能を実行する通信装置或いは移動局及び相当物のブロック図を示す。文字入力装置及び他の入力装置が入力を受信する（３０１）。１以上の文字入力装置の部分又はキー、例えば「通話」又は「送信」マークのキー、がコマンド入力装置となってもよい。入力は、文字、記号及び機能に関連する。文字入力装置は、例えばキーパッドへの圧力に依って文字や他の入力を行う。文字入力装置は、当該分野で知られている方法で符号化した文字や他の入力を、内蔵プロセッサ３０３へ与える。内蔵プロセッサ３０３は、視覚表示、音声、振動を含む様々な形式の人間に識別できる出力を行う。出力は、それぞれ表示画面３０５、スピーカ３０７又は振動モータ３０９等で行われる。表示画面３０５はメッセージ描写出力装置でもよい。プロセッサ３０３はメモリ３１１からの情報を保存し、抽出する。メモリ３１１にはデータと命令が予めプログラムされていてもよい。メモリ３１１は着脱可能な媒体でもよい。通信装置はトランシーバ３１５を介して他の装置と通信出来る。トランシーバは無線トランシーバでもよい。トランシーバ３１５は電磁信号として信号、或いは音声を送信及び受信出来ても良い。最小限、トランシーバ３１５は送信機である。トランシーバ３１５は、移動局を通常通り電源投入或いは起動したときに、向けられたメッセージを受信するように構成されてもよく、その場合メッセージを間違いなく受信するに十分な電力が備わったところに届く。
【００３０】
特定の実施態様の中で記載したが、これらの教示へ多くの修正や様々な変更を起こしうることは当業者には明らかである。例えば、位置検出装置を含むポインティングデバイス、音声認識入力装置等、移動局でコマンドを受信する他の方法は多くある。本発明は１以上の好ましい実施態様を示し、記載しているが、上述した本発明の範囲及び精神及び以下の請求の範囲を逸脱しない限り、形式、形態に修正又は変更を行い得るとうことは当業者にとって理解されよう。
【図面の簡単な説明】
【００３１】
【図１】図１は、実施態様において着信メッセージに適用するムードリングの編集又は選択工程を示す線図である。
【図２】図２は、実施態様において電話帳登録をムードリングに関連づける工程を示す。
【図３】図３は実施態様におけるブロック線図を示す。
【図１】
2004537204.tif 000003
【図２】
2004537204.tif 000004
【国際公開パンフレット】
2004537204.tif 000005
2004537204.tif 000006
2004537204.tif 000007
2004537204.tif 000008
2004537204.tif 000009
2004537204.tif 000010
2004537204.tif 000011
2004537204.tif 000012
2004537204.tif 000013
2004537204.tif 000014
2004537204.tif 000015
2004537204.tif 000016
2004537204.tif 000017
2004537204.tif 000018
2004537204.tif 000019
2004537204.tif 000020
2004537204.tif 000021
2004537204.tif 000022
【国際調査報告】
2004537204.tif 000023
2004537204.tif 000024